【事件の表示】
　平成７年特許願第１６６９０２号「接着方法」拒絶査定不服審判事件〔平成８年１２月１７日出願公開、特開平８−３３３５４８〕について、次のとおり審決する。
【結　論】
　本件審判の請求は、成り立たない。
【理　由】
１　手続の経緯、本願発明
　本願は、平成７年６月７日の出願であって、その請求項１に係る発明は平成１５年６月９日付けの手続補正書により補正された明細書の特許請求の範囲に記載された下記のとおりのものである。
「【請求項１】溶媒（Ａ）、プライマー主剤（Ｂ）および含金属錯塩型の色素（Ｃ）からなり、溶媒（Ａ）１００重量部に対するプライマー主剤（Ｂ）の割合が０．０１〜３重量部で色素（Ｃ）の割合が０．００１〜２重量部であるプライマー組成物を、２−シアノアクリレート系瞬間接着剤に対し難接着性を示す被着材である黒色に着色されたエチレン−プロピレン−ジエンターポリマー（ＥＰＤＭ）に塗布してプライマー処理を行うことにより、色素（Ｃ）により着色されたプライマー組成物の色（ｘ）とは補色関係にある色（ｙ）を前記被着材表面に発現させ、ついでその発現した色（ｙ）の領域を目安に２−シアノアクリレート系瞬間接着剤を適用して接着操作を行うことを特徴とする接着方法。」
　
２　原査定の拒絶の理由
　原査定の拒絶の理由の概要は、本願請求項１に係る発明は、本願出願前に頒布された下記の刊行物１〜５に記載された発明に基づいて当業者が容易に発明をすることができたものであるから、特許法第２９条第２項の規定により特許を受けることができない、というものである。
［刊行物］
　１：特開平６−５７２１８号公報　（以下、「引用例１」という。）
　２：特開平２−１１７９６８号公報（以下、「引用例２」という。）
　３：特開平６−２９９１２４号公報（以下、「引用例３」という。）
　４：特公昭５２−６３０７号公報　（以下、「引用例４」という。）
　５：特開平３−１４９２７３号公報（以下、「引用例５」という。）
　
３　引用例に記載された発明
　引用例１には、
「【請求項１】式Ｒ３Ｎで表わされるアミン（ただし３つのＲはいずれも炭化水素基）の炭化水素基のうち少なくとも１個の炭化水素基が炭素数８〜２４の長鎖炭化水素基である第３級アミンを有効成分とする２−シアノアクリレート系瞬間接着剤用プライマー。
【請求項２】第３級アミンがトリラウリルアミンである請求項１記載のプライマー。
【請求項３】請求項１の第３級アミンを溶剤に溶解した０．００１〜１０重量％濃度の溶剤溶液からなる請求項１記載のプライマー。」（特許請求の範囲）、
「【産業上の利用分野】本発明は、２−シアノアクリレート系瞬間接着剤を用いて接着を行うにあたり、難接着性の被着材に対しても接着力を顕著に向上させることのできるプライマーに関するものである。」（段落０００１）、
「本発明のプライマーの有効成分は、式Ｒ３Ｎで表わされるアミン（ただし３つのＲはいずれも炭化水素基）の炭化水素基のうち少なくとも１個の炭化水素基が炭素数８〜２４の長鎖炭化水素基である第３級アミンである。・・・
　上記第３級アミンのうち最も好ましいものは、プライマー性能、低臭性ないし無臭性、可使時間、コストなどを総合考慮すると、トリラウリルアミン・・・である。
　上記の第３級アミンは、これを溶剤に溶解した溶剤溶液の形態で、塗布、スプレー、浸漬などの手段により被着材に塗布して用いる。瞬間接着剤を適用する前にプライマー塗布面を乾燥することが多いが、未乾燥の濡れた状態のままで接着剤を適用しても差し支えない。
　上記の溶剤としては、ケトン類、アルコール類、炭化水素類、エステル類、エーテル類、含フッ素溶剤、含塩素溶剤、含窒素溶剤、水などの溶剤、あるいは２種以上の溶剤からなる混合溶剤が用いられる。」（段落００１５〜００１９）と記載され、また、
「上記プライマーで処理する被着材としては、任意の材質の材料が用いられるが、・・・エチレン−プロピレンターポリマーなどのポリオレフィン、・・・など、従来２−シアノアクリレート系接着剤では接着できないか接着強度の劣る材料同士の接着、あるいはこれらの材料と極性基材との接着に適用できる。」（段落００２２）との記載がある。
　引用例３には、α−シアノアクリレート系接着剤用プライマーの発明が記載され、難接着性合成樹脂の被着材としてＥＰＴラバーが示されている（段落００１５）。
　引用例５には、蛍光染料をプライマーに添加し、蛍光発生の有無により塗り忘れや塗りむらを防止できるプライマー組成物が記載され、「蛍光染料は、組成物全量に対して、０．１〜１．０重量％の範囲で配合することが好ましい。」（３頁右上欄）と記載され、また、「プライマーに染料や、顔料を添加して、目視にて塗り忘れ箇所を判別しつつプライマー処理を行うといった工夫も行われている。・・・、染料を配合する方法では、被塗物が黒、紺など、濃色の場合や透明の場合、プライマーを薄く塗布する場合などにおいては、既にプライマーを塗った面か否かを目視にて判断することが困難であるため、塗り忘れおよび塗りむらを有効に防止することはできない。」（１頁右下欄〜２頁左上欄）と従来技術の問題点が記載されている。
　
４　対比、判断
（１）本願請求項１に係る発明（以下、「本願発明」という。）と引用例１に記載された発明を対比すると、引用例１の第３級アミンはプライマー主剤であり、それは溶剤に溶解した溶剤溶液の形態で使用され、０．００１〜１０重量％濃度の溶剤溶液とされ、２−シアノアクリレート系接着剤では接着できないか接着強度の劣る材料同士の接着、あるいはこれらの材料と極性基材との接着に適用されているから、両者は、「溶剤とプライマー主剤からなり、溶媒１００重量部に対するプライマー主剤の割合が０．０１〜３重量部であるプライマー組成物を、２−シアノアクリレート系瞬間接着剤に対し難接着性を示す被着材に塗布してプライマー処理を行い、その上に２−シアノアクリレート系瞬間接着剤を適用して接着操作を行うことを特徴とする接着方法。」という点で一致しているが、下記Ａ、Ｂの点で、本願発明は引用例１に記載された発明と相違する。
　
　Ａ　本願発明は、プライマー組成物が、さらに特定割合の含金属錯塩型の色素を含有し、色素により着色されたプライマーを黒色の被着材に塗布することによりプライマー組成物の色（ｘ）とは補色関係にある色（ｙ）を前記被着材表面に発現させ、その発現した色（ｙ）の領域を２−シアノアクリレート系瞬間接着剤を適用する目安にするのに対し、引用例１記載発明では色素を含有せず、被着材の色の限定もなく、接着剤を適用する目安についての配慮がない点。
　Ｂ　２−シアノアクリレート系瞬間接着剤に対し難接着性を示す被着材が、本願発明は、エチレン−プロピレン−ジエンターポリマー（ＥＰＤＭ）であるのに対して、引用例１記載発明では、特に限定はなく、一例としてエチレン−プロピレンターポリマーが挙げられている点。
　
（２）相違点Ａについて、引用例５には、被着材が黒などの濃色の場合に、既にプライマーを塗った面か否かを目視にて判断できるように、即ち、接着剤を適用する目安とするために、蛍光染料をプライマー組成物の中に含有させ、発光によりプライマーの存在を認識する技術が記載されている。さらに、黒色の被着材に対して充分な効果がなく問題があるとしながらも、プライマー組成物中に染料を配合する方法が行われていたことが示唆されているから、引用例１の発明において、被着材として極めてありふれた黒色のものを使用する場合に、引用例５の技術を応用して、黒色の被着材に塗っても色として認識できるような染料を公知の種々の染料の中から見い出し、プライマー組成物に配合することは、当業者が実験をとおして容易になし得ることである。
　また、その使用量も色素としての使用の量としては普通の範囲のものであるか又は当業者がその目的に応じて設定できる範囲のものである。。
　請求人は、含金属錯塩型の色素（Ｃ）を含有するプライマーを「黒色に着色したＥＰＤＭ上に」塗布したときのみ「草緑色（艶あり）」の色調が得られ、そのような色調が目立つため、２−シアノアクリレート系瞬間接着剤を適用するときに、他の種々の色素を用いた参考例に比して際だって差があり好ましい結果が得られたものであると、本願発明の実施例における特定の含金属錯塩型色素を使用した場合の効果について主張するが、含金属錯塩型の染料は多種多色存在し、黒色の被着材に塗布した場合に、すべての含金属錯塩型の染料が「草緑色（艶あり）」の発色をするものとは認められない。
　なお、特許請求の範囲における「（被着材である黒色に着色された・・・に塗布してプライマー処理を行なうことにより）色素（Ｃ）により着色されたプライマー組成物の色（ｘ）とは補色関係にある色（ｙ）を前記被着材表面に発現させ」とは、単に黒色の被着材に色素を塗布した際の人の目に感ずる色が色素の色の補色であるという現象を説明したものであり、配合する色素や接着方法を特定する要件であるとは認められない。
　
（３）相違点Ｂについて、ＥＰＤＭが２−シアノアクリレート系接着剤では接着できない素材であることは周知のことであり（引用例３、参照。）、しかも、エチレン−プロピレンターポリマーといえばエチレン−プロピレン−ジエンターポリマー（ＥＰＤＭ）を指すことが一般的であるから、両者の被着材に実質的な差はない。
　
５．むすび
　以上のとおりであるから、本願請求項１に係る発明は、引用例１、３及び５に記載された発明に基づいて当業者が容易に発明をすることができたものであり、特許法第２９条第２項の規定により特許を受けることができない。
　よって、結論のとおり審決する。